(57)【要約】【課題】本体枠から前板裏面に至る配線に過度な張力を付与することなく、簡易に前板を開放して前板裏面のメンテナンスを行うことができる。  【解決手段】本体枠２に固定された遊技盤３の下方に球皿５１，５２を設けた前板４を配設し、当該前板４の下縁を本体枠２に回動可能に装着して上記下縁を中心に前板４を前方へ開放可能となし、かつ、前板４と本体枠２とに両端がそれぞれ結合されて前板４の開放量を規制する開放規制部材６を設ける。  【選択図】        図２
2009153637.tif 000002
【特許請求の範囲】
【請求項１】
本体枠に固定された遊技盤の下方に球皿を設けた前板を配設し、当該前板の下縁を前記本体枠に回動可能に装着して前記下縁を中心に前記前板を前方へ開放可能となし、かつ、前記前板と前記本体枠とに両端がそれぞれ結合されて前記前板の開放量を規制する開放規制部材を設けたことを特徴とする遊技機。  
【請求項２】
前記本体枠への前記前板下縁の装着を離脱可能な構造とするとともに、前記開放規制部材の、前記前板および前記本体枠との結合部の少なくとも一方を着脱可能な係止構造とした請求項１に記載の遊技機。
【発明の詳細な説明】
【技術分野】
【０００１】
本発明は遊技機に関し、特に、パチンコ遊技機やアレンジ式遊技機等における、球皿を設けた前板の開放構造に関する。
【背景技術】
【０００２】
パチンコ遊技機において、球皿を設けた前板の下縁を本体枠に回動可能に係止させ、この下縁を中心に前板の上縁を本体枠に向けて旋回させて当該本体枠に係止する構造が知られており（特許文献１）、これによると、前板を簡単に本体枠に固定することができる。
【特許文献１】特開２００６−２１８２２０
【発明の開示】
【発明が解決しようとする課題】
【０００３】
ところで、近年においては、前板の裏面に各種電子機器等が設けられており、これら電子機器等のメンテナンスを行うために前板を開放できるようにしたいという要請がある。そこで、上記従来の構造において、前板の本体枠への係止を解除可能な構造にすることが考えられるが、これによると前板を本体枠から分離した際に、前板の自重によって、本体枠から前板裏面の電子機器等に至る配線に過度な張力が印加するおそれがある。
【０００４】
そこで、本発明はこのような課題を解決するもので、本体枠から前板裏面に至る配線に過度な張力を付与することなく、簡易に前板を開放して前板裏面のメンテナンスを行うことができる遊技機を提供することを目的とする。
【課題を解決するための手段】
【０００５】
上記目的を達成するために、本第１発明では、本体枠（２）に固定された遊技盤（３）の下方に球皿（５１，５２）を設けた前板（４）を配設し、当該前板（４）の下縁を本体枠（２）に回動可能に装着して上記下縁を中心に前板（４）を前方へ開放可能となし、かつ、前板（４）と本体枠（２）とに両端がそれぞれ結合されて前板（４）の開放量を規制する開放規制部材（６）を設ける。
【０００６】
本第１発明においては、前板をその下縁を中心に前方へ開放することができるから前板裏面のメンテナンスを容易に行うことができる。この場合、前板の開放量は開放規制部材によって規制されるから、本体枠から前板裏面に渡る配線に過度な張力が印加することはない。
【０００７】
本第２発明では、上記本体枠（２）への前板（４）下縁の装着を離脱可能な構造とするとともに、開放規制部材（６）の、前板（４）および本体枠（２）との結合部の少なくとも一方（６１１）を着脱可能な係止構造とする。
【０００８】
本第２発明において、前板の大掛かりなメンテナンスが必要である場合等には、開放規制部材の、前板および本体枠との結合部の一方の係止状態を解消した後、前板の下縁を本体枠から離脱させることによって、前板を本体枠から分離することができる。
【０００９】
なお、上記カッコ内の符号は、後述する実施形態に記載の具体的手段との対応関係を示すものである。
【発明の効果】
【００１０】
以上のように、本発明の遊技機によれば、本体枠から前板裏面に至る配線に過度な張力を付与することなく、簡易に前板を開放して前板裏面のメンテナンスを行うことができる。
【発明を実施するための最良の形態】
【００１１】
（第１実施形態）
図１にはパチンコ遊技機の前面下半部を示す。図１において、外枠１内に設置された本体枠２には上半に遊技盤３が固定されている。なお、遊技盤３を覆うガラス枠は図示を省略してある。本体枠２の下半には上記遊技盤３の下縁に隣接して前板４が設置され、この前板４には左右方向の中央部に上下二段の球皿５１，５２が設けられるとともに、右下部には遊技球発射用の操作ハンドル５３が設けられている。
【００１２】
前板４はその下縁に形成された左右の係止片４１（図２参照）が本体枠２の左右の取付穴２１内に挿入されて、これら係止片４１を結ぶ水平軸ＡＸを中心に前板４が前後方向へ回動可能となっている。前板４の上縁には左右位置にスライド式の操作片４２が設けてあり、これら操作片４２には裏面側に係止片（図示略）が形成されて、各係止片が本体枠２に形成された係止穴２２（図２参照）に係合して前板４の上縁が本体枠２に固定されている。なお、通常、操作片４２は本体枠２の上半を覆うガラス枠の背後に位置して遊技者が操作できないようになっている。
【００１３】
前板４の後面には電子機器４３等が設けられて（図２参照）、これらに至る配線４４，４６が本体枠２側から延びている。上記電子機器４３等のメンテナンスが必要な場合には、上記各操作片４２を互いに逆方向の左右方向外方へスライド操作する。これにより、係止片の係止穴２２に対する係合状態が解消されて前板４の上縁が本体枠２から分離され、図２、図３に示すように、前板４を、その下縁を中心に前方へ回動開放することができる。そして、この時の前板４の開放量は開放規制部材６によって規制されている。
【００１４】
開放規制部材６の詳細を図４に示す。開放規制部材６は一定長の線部材６１を備えており、線部材６１の一端部６１１はリング状に成形されてカシメ片６１２によってその形状が保持されている。線部材６１の他端には取付孔６２１を有する接続端子６２がカシメによって固定されている。線部材６１のリング状一端部６１１は前板４の裏面に固定された保持部材６３に結合されており、一方、線部材６１の他端は接続端子６２の取付孔６２１内に挿入されたネジ６２２によって本体枠２に固定されている。上記保持部材６３は樹脂の一体成形品で、楔状の基部６３１とリング状の保持部６３２を備えており、基部６３１を、前板４に形成した取付孔４５内に挿入してこれに係止固定されている。このような保持部材６３としては、例えば、公知の配線結束用バンド等を利用することができる。なお、保持部材６３はこれに限定されるものではなく、前板４に接着するものや、前板４から一体的に保持部６３２を形成するなどしても良い。
【００１５】
上記保持部６３２はリングの一部が係止部６３３となり、これに対向する受容部６３４に対して切離し（図５参照）および接続自在となっている。これにより、係止部６３３を受容部６３４から切り離した状態で線部材６１のリング状一端部６１１を保持部６３２に嵌装係止し、その後、係止部６３３を受容部６３４内に挿入してこれらを接続しておく。上記線部材６１の周囲にはコイル状のバネ部材６４が配設してあり、バネ部材６４の一端は線部材６１のリング状一端部６１１に係止され、他端はネジ６２２によって接続端子６２１と共に本体枠２に締結されている。バネ部材６４の原形は線部材６１の長さより短くしてあり、したがって、前板４を開放して線部材６１が直線状となった状態では、バネ部材６４は伸長変形している。
【００１６】
このような開放規制部材６を設けたことにより、前板４の開放量は、本体枠２との間に架設された線部材６１によって規制される。したがって、線部材６１を適当な長さに設定しておくことにより、本体枠２から前板４の裏面へ敷設された配線４４，４６に過度の張力が作用することが回避される（図３参照）。加えて、前板４の開放作動はバネ部材６４の伸長変形によるバネ力によって減速されて適度な速度に抑えられる。この場合の前板４の開放量は、メンテナンスする作業者の手が挿入できる程度の大きさである必要があり、かつ開放量の上限は前板４を開放したときの球皿５２の最下端部が外枠１の下縁よりも上方にある程度とする。これにより、前板４裏面の電子機器４３等のメンテナンスを容易に行うことができる。また、前板４を開放した状態では、遊技盤３の下方に作業空間が生じるから、これにより遊技盤３（図１参照）下端部のメンテナンスも容易に行うことができる。
【００１７】
前板４や遊技盤３下端部の大掛かりなメンテナンスが必要である場合や、前板４を取り替える必要がある場合には、図５に示すように、保持部材６３の係止部６３３を受容部６３４から切離してリング状の保持部６３２を開放し、開放規制部材６の線部材６１を上記保持部６３２から離脱させる。この状態では、バネ部材６４は原形まで短縮変形し、線部材６１はバネ部材６４内で弛んだ状態になる。この後、前板４下縁の係止片４１（図２）を本体枠２の取付穴２１内から脱出させて、前板４を本体枠２から分離する。
【００１８】
本実施形態では、開放規制部材６の主要部を線部材６１で構成しているから、前板４を閉鎖すると開放規制部材６はフレキシブルかつコンパクトに前板４背後の空間内に収納される。また、線部材６１として両端に導電性の端子を有する金属線を使用すれば、これを、前板４背後の電子機器４３等のアース線として利用することもできる。
【００１９】
（第２実施形態）
第１実施形態の保持部材６３に代えて、図６に示すような保持部材６８を使用することができる。本実施形態における保持部材６８は、前板４に接合された基板６８２から一端開放の係止片６８１を延出させたもので、この係止片６８１に、ワイヤ６７のリング状一端部６１１と、ワイヤ６７に平行に敷設されたバネ部材６４のリング状に成形した一端を係止する。このような構造によっても、第１実施形態と同様の作用効果が得られる。
【００２０】
（第３実施形態）
図７には開放規制部材の他の例を示す。本実施形態では開放規制部材６を構成する線部材６５をバネ材とし、線部材６５の一部をコイル状に成形してバネ部６５１とする。他の構造は第１実施形態と同様である。このような構造によれば、第１実施形態のように別体のバネ部材６４を設ける必要がないから、開放規制部材６の構造がさらに簡素化できる。
【００２１】
（第４実施形態）
図８には開放規制部材６のさらに他の例を示す。本実施形態では本体枠２に設けた巻取り器６６から一定長さの線部材６１が引き出される構造としてある。このような構造によれば、巻取り器６６の巻取り力を調整することによって前板４を開放した時の開放速度を適度なものにすることができるとともに、前板４を閉鎖する際には線部材６１を巻取り器６６によってコンパクトに巻き取ることができる。
【００２２】
（第５実施形態）
図９には開放規制部材６のさらに他の例を示す。本実施例では開放規制部材６を、本体枠２と前板４の間に直列に連結された二個のリンクアーム６７１，６７２で構成してある。リンクアーム６７１，６７２の間にはバネ部材６７３が架設されて両リンクアーム６７１，６７２をＶ字形に折れる方向へ付勢している。リンクアーム６７２の本体枠２への結合はネジにより行う。一方、リンクアーム６７１の前板４への結合部は、図１０に示すように、前板４に立設されたピン４７にリンクアーム６７１端部の係合溝６７３を係止した構造で、その結合を容易に解消できるようにしてある。
【００２３】
（他の実施形態）
上記各実施形態において、開放規制部材６は本体枠２から前板４へ至る配線４４の近傍に設けると効果的である。この場合、配線４４，４６は前板４の回転軸ＡＸに近い下端付近に集約しておくと、前板４開閉時の配線４４，４６の変形移動を最小限にすることができる。また、開放規制部材６を前板４の左右両側に設けると、前板４の開放量規制をさらに確実に行うことができる。さらに、係止片４１で前板４を本体枠２に連結するのに代えて、回転ヒンジによって連結するようにしても良い。その他、上記各実施形態の一部を利用したり、複数の実施形態を組み合わせるなどしても良い。これによっても初期の目的を果たすことができる。
【図面の簡単な説明】
【００２４】
【図１】本発明の第１実施形態における、遊技機の前面下半部の正面図である。
【図２】前板を開放した状態での、遊技機の前面下半部の斜視図である。
【図３】前板を開放した状態での、遊技機の前面下半部の側面図である。
【図４】開放規制部材の側面図である。
【図５】係止状態を解消した開放規制部材の側面図である。
【図６】本発明の第２実施形態における、開放規制部材の要部側面図である。
【図７】本発明の第３実施形態における、開放規制部材の側面図である。
【図８】本発明の第４実施形態における、開放規制部材の側面図である。
【図９】本発明の第５実施形態における、開放規制部材の側面図である。
【図１０】本発明の第５実施形態における、開放規制部材の要部拡大側面図である。
【符号の説明】
【００２５】
１…外枠、２…本体枠、３…遊技盤、４…前板、５１，５２…球皿、６…開放規制部材、６１１…リング状一端部（結合部の一方）、６７３…係合溝（結合部の一方）。
【図１】
2009153637.tif 000003
【図２】
2009153637.tif 000004
【図３】
2009153637.tif 000005
【図４】
2009153637.tif 000006
【図５】
2009153637.tif 000007
【図６】
2009153637.tif 000008
【図７】
2009153637.tif 000009
【図８】
2009153637.tif 000010
【図９】
2009153637.tif 000011
【図１０】
2009153637.tif 000012